(57)【要約】【課題】  副切刃の切り込み角度を一定に保持したままでインサートの位置調整が容易に行われ、高い切刃振れ精度を得ることができるフライスカッターを提供する。【解決手段】  円盤状の工具本体３２の先端部外周に切刃を有するインサート５１が装着されるフライスカッター３１であって、取付座３５には、少なくとも工具本体３２の軸線方向に向けて延びるガイド部が形成される一方、インサート５１の着座面には、ガイド部が延びる方向に摺動可能に嵌合する被ガイド部が形成されるとともに、工具本体３２には、ガイド部が延びる方向と交差する壁面に開口する切欠部３８が設けられ、切欠部３８には調整ピース４１が挿入されており、調整ピース４１の内周部分に調整ネジ４６が挿通され、調整ピース４１の内周面又は調整ネジ４６の少なくとも一方には調整ピース４１の外側に向かうに従い径が漸次拡大する拡径部が設けられたことを特徴とする。【選択図】  図１
2006247776.tif 000002
【特許請求の範囲】
【請求項１】
軸線回りに回転される円盤状の工具本体の先端部外周に形成された凹部に取付座が備えられ、該取付座に、切刃を有するインサートがその着座面を密着させて着脱自在に装着されるフライスカッターであって、
前記取付座には、少なくとも前記工具本体の軸線方向に向けて延びるガイド部が形成される一方、前記インサートの前記着座面には、前記ガイド部が延びる方向に摺動可能に嵌合する被ガイド部が形成されるとともに、
前記工具本体には、前記取付座の前記ガイド部が延びる方向と交差する壁面に開口する切欠部が設けられ、該切欠部には、弾性変形することにより前記インサートの側面を押圧して前記インサートの位置を調整する調整ピースが挿入されており、
前記調整ピースは、筒体状に形成され、該筒体の軸線に沿って延びるスリットが形成されるとともに、前記筒体の内周部分には、雄ネジ部と該雄ネジ部より大径の頭部とを有する調整ネジが挿通されて、前記雄ネジ部が前記切欠部の底面に螺着されるとともに前記頭部が前記調整ピースの内周面に当接させられ、前記調整ピースの内周面又は前記調整ネジの前記頭部の少なくとも一方には前記調整ピースの外側に向かうに従い径が漸次拡大する拡径部が設けられたことを特徴とするフライスカッター。
【請求項２】
前記インサートが、多角形平板状に形成され、該多角形の辺稜部には、このインサートが前記取付座に装着された際に外周切刃をなす主切刃が設けられ、この主切刃の工具本体先端側には、前記主切刃に対して内側に傾いて前記軸線に略垂直な平面上に位置する副切刃が設けられ、前記ガイド部と前記被ガイド部は、前記外周切刃をなす主切刃に平行に延びるように形成されていることを特徴とする請求項１記載のフライスカッター。
【請求項３】
前記切欠部が、前記取付座の前記工具本体後端側に、前記工具本体径方向外側を向く面に開口されて設けられたことを特徴とする請求項１又は請求項２に記載のフライスカッター。
【請求項４】
前記切欠部が、前記取付座の前記工具本体後端側に、前記工具本体の回転方向前方側を向く面に開口されて設けられたことを特徴とする請求項１又は請求項２に記載のフライスカッター。
【請求項５】
前記インサートは、多角形平板状をなし、多角形の各辺稜部に切刃が設けられてなり、前記工具本体に装着される際に前記取付座と当接される前記着座面に、該着座面に対向する側から見て互いに交差する少なくとも２方向に向けて延びる同形同大の複数のセレーション溝が設けられることにより、複数の凸部が形成されているものであって、
少なくとも２方向に向けて延びる前記セレーション溝の一つが選択的に、前記被ガイド部とされるとともに、前記ガイド部は、前記セレーション溝が嵌合可能な突条部とされていることを特徴とする請求項１から請求項４のいずれかに記載のフライスカッター。
【発明の詳細な説明】
【技術分野】
【０００１】
本発明は、工具本体の先端部外周に複数のインサートが着脱可能に装着されたフライスカッターに関する。
【背景技術】
【０００２】
従来、被切削材に平面加工を施す転削工具として、複数のインサートが装着されたフライスカッターが使用されている。この種のフライスカッターにおいては、円盤状の工具本体の先端部外周に形成された多数のチップポケット及び取付座に、超硬合金等の硬質材料より成るインサートが着脱可能に装着されており、上記の工具本体をその軸線回りに高速回転するとともに軸線と交差する方向に送りを与えることにより、上記のインサートの工具本体径方向外側に向けられた外周切刃（主切刃）と工具本体先端側に向けられた副切刃によって被切削材を切削するものである。
【０００３】
ところで、多数のインサートを備えたフライスカッターでは、各インサートの切刃が工具本体の軸線回りに描く回転軌跡が一致するように、各インサートが取り付けられていなければならない。すなわち、上記のフライスカッターには、切刃の振れ出し量が同一となるように、高い切刃振れ精度が備わっていなければならない。上記のフライスカッターにおいては、切刃の振れ出し量が異なっている場合には、振れ出し量の大きい切刃が優先的に磨耗してしまうため、インサートの交換頻度が多くなるとともに、被切削材の仕上げ面が波打ち、面粗度が劣化するといった問題があった。
【０００４】
上記のフライスカッターにおいては、仕上げ面の面粗度を向上させるために、フライスカッターに装着された多数のインサートのうちの一部をワイパー刃（さらい刃）とする手段が提供されているが、ワイパー刃を備えたフライスカッターでは、ワイパー刃のみが切削する部分が多くなり、このワイパー刃が優先的に磨耗するため、インサートの交換頻度が多くなるといった問題があった。
そこで、このようなフライスカッターにおいては、インサートの工具本体軸線方向の位置を移動させ、各切刃の振れ出し量を調整するための調整機構を備えたものが提案されている（特許文献１、特許文献２）。
【０００５】
図１９、図２０に、従来の切刃の振れ出し量を調整するための調整機構を備えたフライスカッターの一例を示す。
フライスカッター１は、軸線Ｏ回りに回転される円盤状の工具本体２と、複数のインサート３とを有する。工具本体２の先端部外周には、複数のチップポケット４が形成されており、チップポケット４の工具回転方向Ｔ後方側には、インサート３の取付座５が形成されている。
【０００６】
インサート３は、取付座５の取付面５Ａにインサート３の厚さ方向を向く一の面を着座面として装着される。取付座５の工具回転方向Ｔ前方側には、チップポケット４の工具本体２径方向内側の壁面に、工具本体２の径方向内側に凹む凹部が形成されており、この凹部にクサビ部材６が挿入され、クランプネジ７にて工具本体２に固定されている。インサート３は、クサビ部材６により取付座５に押圧され、クサビ部材６の工具回転方向Ｔの後方側壁面６Ａと取付座５の取付面５Ａとの間で挟装されている。
【０００７】
また、取付座５の工具本体２後端側の壁面には、雌ネジ部８が形成され、この雌ネジ部８には、インサート３の工具本体２後端側を向く面と当接して、インサート３の軸線Ｏ方向の位置を調整する調整ネジ９が螺着されている。調整ネジ９には、頭部１０が備えられており、頭部１０の側壁には、調整ネジ９を回転させるための専用工具が差し込まれる係合孔１１が、一定間隔で複数形成されている。
【０００８】
上記の構成のフライスカッター１は、その工具本体２がその軸線Ｏ回りに高速回転されつつ軸線Ｏと交差する方向に送られることにより、工具本体２の先端部外周に設置されたインサート３の工具本体２径方向外側に向けられた外周切刃と工具本体２先端側に向けられた副切刃によって被切削材を切削していくものである。
【０００９】
上記の構成のフライスカッター１においては、雌ネジ部８に螺着された調整ネジ９を回転させ、インサート３の工具本体２後端側を向く面を調整ネジ９の頭部１０で押圧することにより、切刃の振れ出し量を調整している。
【特許文献１】特開２００１−２５２８１３号公報
【特許文献２】特開２００１−２４６５１５号公報
【発明の開示】
【発明が解決しようとする課題】
【００１０】
ところで、上記の構成のフライスカッター１においては、インサート３の移動方向が規制されていないので、調整ネジ９の頭部１０でインサート３の工具本体２後端側を向く面を押圧した際に、インサート３が調整方向以外の方向へずれてしまう可能性があった。特に、インサート３が取付面５Ａ上で回転してしまった場合には、インサート３の角部に設けられた副切刃の切り込み角度が、各インサートによってばらついてしまうので、インサート３を取り付け直す必要があった。このため、切刃の振れ出し量を調整するのに多大な時間と労力を要した。
【００１１】
また、上記の構成のフライスカッター１においては、切刃振れ精度は、作業者の経験や熟練に頼る部分が多く、満足できるレベルのものを安定して供給できないので、被切削材の仕上げ面の面粗度を良好にするためには、ワイパー刃を装着する必要があった。ワイパー刃を装着した場合においては、切削された面をさらうワイパー刃に過大な負荷が掛かるため、ワイパー刃の磨耗が早く進行し、インサート３の交換頻度が多くなるといった問題があった。
【００１２】
本願発明は、上記の事情に鑑みてなされたものであって、副切刃の切り込み角度を一定に保持したままでインサートの位置調整が容易に行われ、高い切刃振れ精度を得ることができるフライスカッターを提供することを目的とする。
【課題を解決するための手段】
【００１３】
上記課題を解決するために、この発明は、軸線回りに回転される円盤状の工具本体の先端部外周に形成された凹部に取付座が備えられ、該取付座に、切刃を有するインサートがその着座面を密着させて着脱自在に装着されるフライスカッターであって、前記取付座には、少なくとも前記工具本体の軸線方向に向けて延びるガイド部が形成される一方、前記インサートの前記着座面には、前記ガイド部が延びる方向に摺動可能に嵌合する被ガイド部が形成されるとともに、前記工具本体には、前記取付座の前記ガイド部が延びる方向と交差する壁面に開口する切欠部が設けられ、該切欠部には、弾性変形することにより前記インサートの側面を押圧して前記インサートの位置を調整する調整ピースが挿入されており、前記調整ピースは、筒体状に形成され、該筒体の軸線に沿って延びるスリットが形成されるとともに、前記筒体の内周部分には、雄ネジ部と該雄ネジ部より大径の頭部とを有する調整ネジが挿通されて、前記雄ネジ部が前記切欠部の底面に螺着されるとともに前記頭部が前記調整ピースの内周面に当接させられ、前記調整ピースの内周面又は前記調整ネジの前記頭部の少なくとも一方には前記調整ピースの外側に向かうに従い径が漸次拡大する拡径部が設けられたことを特徴とする。
【発明の効果】
【００１４】
上記の構成のフライスカッターにおいては、ガイド部が延びる方向と交差する壁面に開口されて設けられた切欠部に筒体状の調整ピースが挿入され、この調整ピースがなす筒体の内周部分に調整ネジが挿通されて調整ネジの雄ネジ部が切欠部の底面に螺着されているので、この調整ネジをねじ込むことにより、調整ネジの頭部が調整ピースの内方に位置し、スリットを有する調整ピースが押し広げられるように弾性変形して取付座に装着されたインサートが押圧される。また、調整ネジを緩めることにより、調整ネジの頭部が調整ピースの外方に位置し、押し広げられていた調整ピースが弾性復帰してインサートを押圧する押圧力が弱まることになる。
【００１５】
インサートを押圧した場合には、インサートが取付座に形成された少なくとも工具本体の軸線方向、すなわち、軸線に垂直ではない方向に延びるガイド部に沿って移動されるので、インサートが取付面上で回転したり、調整方向以外の方向にずれたりせず、切刃の振れ出し量の調整に掛かる労力と時間を削減できる。また、調整ネジをねじ込んだり緩めたりすることでインサートの振れ出し量を進退可能に調整できるので、インサートの位置調整を簡単にかつ精度良く行うことができる。
また、調整ピースが弾性変形することで調整ネジ自体も締め付けられるように押圧されるので、このフライスカッターを高速回転した際でも調整ネジが緩んでしまうことが防止され、切刃の振れ精度を維持したままインサートを強固に固定することができる。
【００１６】
また、前記インサートを、多角形平板状に形成し該多角形の辺稜部にこのインサートが前記取付座に装着された際に外周切刃をなす主切刃を設け、この主切刃の工具本体先端側には前記主切刃に対して内側に傾いて前記軸線に略垂直な平面上に位置する副切刃を設けて、前記ガイド部と前記被ガイド部を前記外周切刃をなす主切刃に平行に延びるように形成することにより、前記インサートを前記取付座に装着した際に、前記副切刃が工具本体の軸線と直交する水平面と略平行に配置される。この状態で、前記調整ネジがねじ込まれると、前記調整ピースが弾性変形してインサートの工具本体後端側を向く面を押圧し、主切刃と平行する方向にかつ工具本体の軸線方向に延びるように取付座に設けられたガイド部に沿ってインサートが移動される。
【００１７】
したがって、上記のフライスカッターでは、副切刃が工具本体の軸線と垂直な水平面と略平行に配置されたままでインサートの位置が調整されるので、上記のフライスカッターで被切削材を切削した際の仕上げ面の面粗度が向上し、別途ワイパー刃を設ける必要がない。また、調整ネジのねじ込み量を調整することにより、インサートの工具本体軸線方向の位置のみを調整すればよいので、切刃の振れ出し量の調整に掛かる労力と時間を大幅に削減できる。
しかも、主切刃からインサートに工具本体径方向内側に作用する送り分力をガイド部と被ガイド部の嵌合で受けることができるので、取付剛性が向上し、切削時の切削抵抗によりインサートがずれることを防止できる。
【００１８】
また、前記切欠部を、前記取付座の前記工具本体後端側に、前記工具本体径方向外側を向く面に開口するように設けることにより、調整ネジの端面が工具本体径方向外側に向けて露呈されるので、調整ネジを回転する際に作業用工具等が工具本体等と干渉することがなく、調整ネジの回転作業を簡易に行うことができ、一層簡単に切刃の振れ出し量の調整を行うことができる。
【００１９】
また、前記切欠部を、前記取付座の前記工具本体後端側に、前記工具本体の回転方向前方側を向く面に開口するように設けることにより、インサートのすくい面と相対する位置から見て調整ネジを回転することになり、インサートの工具本体軸線方向の位置を確認しながら調整できるので、切刃の振れ出し量の調整をより簡単にかつ精度良く行うことができる。
【００２０】
また、前記インサートを、多角形平板状をなし多角形の各辺稜部に切刃を設け、前記工具本体に装着される際に前記取付座と当接される着座面に、この着座面に対向する側から見て互いに交差する少なくとも２方向に向けて延びる同形同大の複数のセレーション溝を設けることによって複数の凸部を形成したものとし、少なくとも２方向に向けて延びる前記セレーション溝の一つを選択的に、前記被ガイド部とするとともに、前記ガイド部を、前記セレーション溝が嵌合可能な突条部としたものとすることにより、セレーション溝の延びる方向に沿って前記インサートの位置調整を行うことができる。しかも、前記インサートには、その着座面に少なくとも２方向に向けて延びる同形同大の複数のセレーション溝が設けられているので、多角形の各辺稜部に形成された主切刃や副切刃をコーナーチェンジして使用した場合でもセレーション溝と突条部とを嵌合でき、インサートの位置調整を容易に行うことができる。
【００２１】
したがって、本発明によれば、副切刃の切り込み角度を一定に保持したままでインサートの位置調整が容易に行われ、高い切刃振れ精度を得ることができるフライスカッターを提供することができる。また、本発明によれば、高い精度で切刃の振れ出し量の調整ができるとともに、副切刃の切り込み角度を一定に保持したままでインサートの位置調整ができるので、本発明に係るフライスカッターで被切削材を切削した際に形成される仕上げ面の面粗度は良好であり、別途、ワイパー刃を備える必要がない。
【発明を実施するための最良の形態】
【００２２】
本発明の第一の実施の形態について添付した図面を参照して説明する。
図１から図５に本発明の第一の実施の形態であるフライスカッター３１を示す。図６から図８に本実施の形態で使用される調整ピース４１を、図９から図１２にインサート５１を示す。
フライスカッター３１は、鋼材等で構成されて円盤状をなす工具本体３２を有し、この工具本体３２の先端側外周に切刃を有するインサート５１が配置されている。
【００２３】
工具本体３２がなす円盤の中央部には、工具本体３２をアダプタを介して工作機械の主軸端等に取り付けるための取付孔３３が工具本体３２の軸線Ｏに沿うように形成されている。そして、この工具本体３２の先端側外周部には、工具本体３２の外周面及び先端面に開口するように複数のチップポケット３４が形成されており、さらにこれらのチップポケット３４の工具回転方向Ｔの後方側には、それぞれ取付座３５が設けられている。
【００２４】
取付座３５の取付面３５Ａは、工具本体３２先端側に向かうに従い工具回転方向Ｔ前方側に向かうように僅かに傾斜しており、この取付面３５Ａには、インサート５１の移動方向を規制するガイド部として突条部３６が、断面Ｖ字状で等ピッチに形成されている。この突条部３６は、図１、図２に示すインサート５１の調整方向Ｘに沿って設けられており、本実施の形態においては、軸線Ｏ方向に対して工具本体３２先端側が工具本体３２径方向内側に向けて１５°傾いた方向に設けられている。また、この取付面３５Ａにはインサート５１を取り付けるクランプネジ３７が取付面３５Ａに垂直な方向に向けて螺着されている。
【００２５】
各取付座３５の工具本体３２後端側には、工具本体３２径方向外側に向けて開口するように工具本体３２が切り欠かれた切欠部３８が設けられている。この切欠部３８はその断面が長円形状に形成され、取付座３５側の側縁部が該取付座３５に向けて開口させられている。また、切欠部３８の工具本体３２外周側を向く底面には、工具本体３２径方向内側に延びるネジ孔が形成されている。
【００２６】
この切欠部３８に挿入される調整ピース４１は、切欠部３８がなす長円形断面に嵌挿可能な外形を有する筒体状をなし、取付座３５側を向く面が平坦面とされ、この平坦面が押圧部４２とされている。調整ピース４１がなす筒体の内面は断面円形状とされており、切欠部３８への挿入方向とは反対側（図７、図８において上側）に位置する部分が大径部４３とされ、大径部４３の前記挿入方向側には、調整ピース４１の挿入方向と反対側（本実施形態では、工具本体３２径方向外側）に向かうに従い漸次径が拡大された拡径部４４が形成されている。さらに、拡径部４４よりも前記挿入方向側は大径部４３と同軸で内径の小さい小径部とされ、調整ピース４１を貫通している。なお、大径部４３の中心軸線は押圧部４２と平行とされている。
そして、この調整ピース４１には、押圧部４２に平行にかつ大径部４３の円形断面の中心軸線に沿うように延びるスリット４５が、大径部４３側から小径部の途中までの前記押圧部４２が設けられた範囲に形成されている。
【００２７】
この調整ピース４１内には、大径部４３及び拡径部４４を貫通するように調整ネジ４６が挿通されている。この調整ネジ４６は、先端側が雄ネジ部４６Ａとされ、後端側が雄ネジ部４６Ａよりも大径とされた頭部４６Ｂとされており、この雄ネジ部４６Ａと頭部４６Ｂとの間に調整ネジ４６の後端側に向かうに従い漸次径が拡大するテーパー部４６Ｃが形成されている。そして、調整ピース４１を切欠部３８に挿入し、調整ピース４１の内周部分に調整ネジ４６を挿通し、前記雄ネジ部４６Ａを切欠部３８の本実施形態では工具本体３２外周側を向く底面に形成されたネジ孔にねじ込むことにより、このテーパー部４６Ｃと調整ピース４１の拡径部４４とが当接可能に配置されている。
【００２８】
取付座３５に取り付けられるインサート５１は、超硬合金等の硬質材料により構成されており、平面視して図９に示すように正方形平板状に形成され、すくい面をなす平面状の上面部５２と着座面をなす底面部５３と逃げ面をなす４つの側面部とを有する。４つの側面部は、底面部５３から上面部５２に向けて漸次外側に広がるように形成されており、インサート５１は、図１１、図１２に示すように側面から見て等脚台形状に形成されており、側面部に逃げ角が付されたポジティブインサートとされている。
【００２９】
上面部５２と４つの側面部との交差稜線からなる４つの辺稜部には、主切刃５４が設けられ、上面部５２の各コーナー部には、一つの主切刃５４からチャンファー部５５を介して連なり該主切刃５４に対して内側（本実施形態では７５°）に傾いた副切刃５６が設けられている。
また、インサート５１の上面部５２の中央部には、インサート５１を取付座３５に取り付けるためのクランプネジ３７が挿通される挿通孔５７が、上面部５２と垂直な方向に延びるように設けられており、インサート５１は、この挿通孔５７の中心線に関して９０°回転対称となるように形成されている。
【００３０】
そして底面部５３には、インサート５１を底面部５３側から見て、インサート５１がなす正方形のそれぞれの辺稜部に設けられた主切刃５４に対して直交する方向に、互いに平行に延びる同形同大の断面Ｖ字状のセレーション溝５８が等ピッチで設けられている。本実施の形態においては、インサート５１が正方形平板状に形成されているので、セレーション溝５８は、互いに直交する２方向に向けて設けられており、直交する２つのセレーション溝５８同士も同形同大で等ピッチに形成されている。よって、底面部５３には、この２方向に向けて形成されたセレーション溝５８によって、同形同大の正四角錐状の凸部５９が複数形成され、凸部５９の上面は挿通孔５７の中心線に垂直な一の平面状とされており、凸部５９は正四角錐台状に形成されている。
【００３１】
取付座３５の取付面３５Ａに軸線Ｏ方向に対して工具本体３２先端側が工具本体３２径方向内側に向けて傾いた（本実施形態では１５°）方向に形成された突条部３６と、インサート５１の底面部５３に主切刃５４に対して直交する方向に形成されたセレーション溝５８とが、互いに嵌まり込むようにインサート５１が取付座３５に装着されると、このインサート５１が取付座３５に装着された際に工具本体３２径方向外側に位置する主切刃５４Ａが軸線Ｏに対して１５°傾くように配置されるとともに、この主切刃５４Ａからチャンファー部５５を介して連なる副切刃５６Ａが軸線Ｏに直交する水平面に対して略平行に位置されることになる。
【００３２】
そして、インサート５１の挿通孔５７にクランプネジ３７が挿通されて取付座３５に螺着され、インサート５１が取付座３５に固定される。ここで、インサート５１の工具本体３２後端側を向く面５１Ａと切欠部３８に挿入された調整ピース４１の押圧部４２とが当接するようにインサート５１が配置される。
【００３３】
上記の構成のフライスカッター３１は、工具本体３２の取付孔３３に取付ボルトが挿通されて、該取付ボルトの先端がアダプタにねじ込まれることによって、工具本体３２がアダプタに接続され、工具本体３２はアダプタを介して工作機械の主軸端に取り付けられ、軸線Ｏを中心として工具回転方向Ｔに高速回転されるとともに、軸線Ｏと交差する方向に送りを与えられることにより、インサート５１の工具本体３２径方向外側に向けられた外周切刃（主切刃５４Ａ）と工具本体３２先端側に向けられた副切刃５６Ａによって被切削材を切削する。
【００３４】
上記の構成のフライスカッター３１においては、インサート５１の位置の調整は、調整ネジ４６をねじ込んだり緩めたりすることにより行う。
調整ネジ４６をねじ込んだ場合には、調整ピース４１の拡径部４４に当接した調整ネジ４６のテーパー部４６Ｃが該拡径部４４を押圧して、スリット４５の終点を支点として調整ピース４１が押し広げられるように弾性変形し、押圧部４２がインサート５１の工具本体３２後端側を向く面５１Ａを押圧し、インサート５１が、取付座３５の取付面３５Ａに形成された突条部３６に沿って工具本体３２先端側へ突き出される。一方、調整ネジ４６を緩めた場合には、押し広げられるように弾性変形していた調整ピース４１が弾性復帰し、インサート５１の工具本体３２後端側を向く面５１Ａを押圧する力が小さくなり、インサート５１が工具本体３２後端側へ後退する。
【００３５】
このように、インサート５１が、取付座３５の取付面３５Ａに形成された突条部３６に沿って移動されるので、インサート５１の調整方向Ｘ以外の方向にズレを生じず、インサート５１の副切刃５６Ａの切り込み角度を一定に保持したままで切刃の振れ出し量の調整を行うことができる。また、インサート５１の軸線Ｏ方向の位置を調整するだけでよいので、切刃の振れ出し量の調整作業に掛かる労力と時間を大幅に削減できる。
【００３６】
また、インサート５１の軸線Ｏ方向の位置を進退可能に調整できるので、切刃の振れ出し量の調整を簡単に行うことができる。
また、調整ピース４１が弾性変形することでインサート５１を押圧するとともに調整ネジ４６自体も締め付けられるように押圧されるので、このフライスカッター３１を高速回転した際に調整ネジ４６が緩んでしまうことが防止され、切刃の振れ出し量を確実に維持しつつもインサート５１を強固に固定することができる。
【００３７】
また、突条部３６とセレーション溝５８とが外周切刃をなす主切刃５４Ａと平行なので、外周切刃（主切刃５４Ａ）からインサート５１に工具本体３２径方向内側に作用する送り分力を突条部３６とセレーション溝５８との嵌合で受けることができ、取付剛性が向上し、切削時の切削抵抗によりインサート５１がずれることを防止できる。
【００３８】
また、切刃の振れ出し量の調整が精度良くできるとともに、副切刃５６Ａの切り込み角度を一定に保持したままでインサート５１の位置調整ができるので、上記のフライスカッター３１によって被切削材を切削した際に形成される仕上げ面の面粗度が良好であり、ワイパー刃（さらい刃）を別途設ける必要がなく、インサート５１の交換頻度を低減することができる。
また、切欠部３８が工具本体３２径方向外側に向けて開口されているので、調整ネジ４６の頭部４６Ｂが工具本体３２外周面に露呈され、調整ネジ４６を回転する際に作業用工具等が工具本体３２等と干渉することがなく、調整ネジ４６の回転作業を簡易に行うことができる。
【００３９】
次に、本発明の第二の実施の形態について、第一の実施の形態と共通する部分には同一の符号を付して説明を省略し、相違点のみを説明する。
図１３から図１５に、本発明の第二の実施の形態であるフライスカッター６１を、図１６から図１８に調整ピース７１を示す。
第二の実施の形態であるフライスカッター６１においては、各取付座３５の工具本体３２後端側に、工具回転方向Ｔ前方側に向けて開口するように工具本体３２が切り欠かれた切欠部６８が設けられている。この切欠部６８は断面長円形状に形成され、取付座３５側の側縁部が該取付座３５に向けて開口させられている。本実施形態では、この切欠部６８の工具回転方向Ｔ前方側を向く底面に、調整ネジ４６の雄ネジ部４６Ａが螺着されるネジ孔が形成されている。
【００４０】
調整ピース７１は、切欠部３８がなす長円形断面に嵌挿可能な外形を有する筒体状をなし、取付座３５側を向く面が平坦面とされ、この平坦面が押圧部７２とされている。そして、調整ピース７１の切欠部３８への挿入方向とは反対側（図１７、図１８において上側）に位置する面が、押圧部７２に向かうに従い後退する傾斜面とされている。
【００４１】
上記の構成のフライスカッター６１においては、第一の実施の形態と同様の効果が得られるほか、切欠部６８が工具回転方向Ｔ前方側に向けて開口するように設けられているので、インサート５１のすくい面（上面部５２）と相対する位置から調整ネジ４６を回転することになり、インサート５１の軸線Ｏ方向の位置の確認を行い易く、切刃の振れ出し量の調整をより簡単にかつ精度良く行うことができる。
【００４２】
また、上記の構成のフライスカッター３１、６１においては、インサート５１に、フライスカッター３１、６１の取付座３５に形成された突条部３６に嵌合し得るセレーション溝５８が２方向に向けて形成されることにより、着座面をなす底面部５３に複数の凸部５９が形成されているので、クサビ効果によってインサート５１を取付座３５に強固に固定することができ、取付剛性を高めて、切削時の切削抵抗によりインサート５１がずれてしまうことを防止できる。また、同形同大のセレーション溝５８が互いに交差する２方向に向けて延びているので、コーナーチェンジの際などこの２方向間でインサート５１を取り付け直したときでも同様の取付剛性を維持することができる。
【００４３】
また、インサート５１にはセレーション溝５８が正方形の辺に直交する方向に設けられているので、インサート５１のコーナーチェンジを行い、インサート５１の４つの主切刃５４を順次外周切刃として使用した場合にも、フライスカッター３１、６１の取付座３５に設けられた突条部３６にセレーション溝５８を嵌合でき、インサート５１の位置調整を容易に行うことができる。
【００４４】
なお、上記の実施の形態においては、フライスカッターの取付座に形成されるガイド部として断面Ｖ字状の突条部として説明したが、凹曲線と凸曲線が連続して構成される断面波型の溝であっても良いし、鋸刃状の溝であっても良い。また、インサートのセレーション溝についても、上記のガイド部と同様に、凹曲線と凸曲線が連続して構成される断面波型の溝であっても良いし、鋸刃状の溝であっても良い。
【００４５】
また、インサートをクランプネジで固定するフライスカッターで説明したが、インサートをクサビ部材で工具本体との間で挟装して固定するものでも良い。この場合でも、インサートのセレーション溝と取付座の突条部とが嵌合されることにより、インサートが強固に固定されるので、切削加工時の切削抵抗などでインサートが移動してしまうのを防止できる。
【００４６】
また、調整ピースの内周面に拡径部を有するとともに調整ネジにテーパー部を有し、これら拡径部とテーパー部とが摺動するように配置されたもので説明したが、調整ピースの内周面に拡径部を有し、調整ネジが雄ネジ部と頭部とで構成されたものや、調整ピースに漸次径が拡大する拡径部を設けず、例えば大径部と小径部とを段状に連続したものとしておいて調整ネジにテーパー部を設けたものであっても良い。
【００４７】
また、インサートを正方形平板状のもので説明したが、上面視多角形であれば良く、例えば、三角形のインサートであれば、その着座面には三角錘状の凸部が形成され、また、着座面に形成される凸部が円錐状に形成されたものであれば、インサートの形状に制限されることなく、取付座の突条部に取り付けることができ、上記の実施の形態と同様の効果を得ることができる。
また、インサートの材質を超硬合金として説明したが、インサートの材質に制限されない。また、逃げ角が付されたポジティブインサートとして説明したが、逃げ角のないネガティブインサートであっても良い。
【図面の簡単な説明】
【００４８】
【図１】本発明の第一の実施形態であるフライスカッターのインサート取付部の側面図である。
【図２】本発明の第一の実施形態であるフライスカッターのインサート取付部の正面図である。
【図３】本発明の第一の実施形態であるフライスカッターのインサート取付部の底面図である。
【図４】本発明の第一の実施形態であるフライスカッターの側面断面図である。
【図５】本発明の第一の実施形態であるフライスカッターの底面図である。
【図６】本発明の第一の実施形態で使用される調整ピースの上面図である。
【図７】図６の調整ピースをＡ方向から見た側面図である。
【図８】図６の調整ピースをＢ方向から見た側面図である。
【図９】本発明の実施形態に使用されるインサートの上面図である。
【図１０】図９のインサートの底面図である。
【図１１】図９のインサートをＡ方向から見た側面図である。
【図１２】図９のインサートをＢ方向から見た側面図である。
【図１３】本発明の第二の実施形態であるフライスカッターのインサート取付部の側面図である。
【図１４】本発明の第二の実施形態であるフライスカッターのインサート取付部の底面図である。
【図１５】本発明の第二の実施形態であるフライスカッターの側面断面図である。
【図１６】本発明の第二の実施形態で使用される調整ピースの上面図である。
【図１７】図１６の調整ピースをＡ方向から見た側面図である。
【図１８】図１６の調整ピースをＢ方向から見た側面図である。
【図１９】従来のフライスカッターのインサート取付部の詳細図である。
【図２０】従来のフライスカッターの側面断面図である。
【符号の説明】
【００４９】
３１、６１  フライスカッター
３２  工具本体
３４  チップポケット（凹部）
３５  取付座
３６  突条部（ガイド部）
３８、６８  切欠部
４１、７１  調整ピース
４４  拡径部
４５  スリット
４６  調整ネジ
４６Ａ  雄ネジ部
４６Ｂ  頭部
４６Ｃ  テーパー部（拡径部）
５１  インサート
５３  底面部（着座面）
５４  主切刃（切刃）
５６  副切刃
５８  セレーション溝（被ガイド部）
５９  凸部
【図１】
2006247776.tif 000003
【図２】
2006247776.tif 000004
【図３】
2006247776.tif 000005
【図４】
2006247776.tif 000006
【図５】
2006247776.tif 000007
【図６】
2006247776.tif 000008
【図７】
2006247776.tif 000009
【図８】
2006247776.tif 000010
【図９】
2006247776.tif 000011
【図１０】
2006247776.tif 000012
【図１１】
2006247776.tif 000013
【図１２】
2006247776.tif 000014
【図１３】
2006247776.tif 000015
【図１４】
2006247776.tif 000016
【図１５】
2006247776.tif 000017
【図１６】
2006247776.tif 000018
【図１７】
2006247776.tif 000019
【図１８】
2006247776.tif 000020
【図１９】
2006247776.tif 000021
【図２０】
2006247776.tif 000022